(57)【要約】【課題】取っ手を用いて画像形成装置を持ち上げても、フレームの撓み変形による位置精度の低下が生じることがないようにする。【解決手段】内蔵する画像形成部が取付けられるフレーム１に設けた取付け部１４、１６、２０、２２に、内外方向にスライドさせることにより出し入れ可能に棒状の取っ手３１〜３４が複数取付けられている。フレーム１は前後に設けられた側板２、３と、これらの間に配設されたステー４ｄとを備えており、このステー４ｄの近傍に前記取付け部が配設され、各取っ手３１〜３４で支持される構成とされている。【選択図】図６
2006099142.tif 000002
【特許請求の範囲】
【請求項１】
内蔵する画像形成部が取付けられるフレームに設けた取付け部に、取っ手が複数取付けられた画像形成装置において、
前記フレームは前後に設けられた側板と、それら両側板の間に配設されたステーとを有し、該ステーの近傍に前記取付け部が配設されていることを特徴とする画像形成装置。
【発明の詳細な説明】
【技術分野】
【０００１】
本発明は、複写機、ファクシミリ、プリンタ、スキャナー、或いはこれらの機能を併有する複合機等の画像形成装置に関し、特にこのような画像形成装置を持ち上げて運搬や移動を行うために装着される取っ手部分の改良に関する。
【背景技術】
【０００２】
例えば特許文献１〜４に開示されているように、画像形成装置は、一般的に重いためにそれぞれのコーナー部に取っ手が取付けられ、その取っ手を把持して運搬等のために持ち上げることが行われている。その一方、軽量化を図るべく種々の対策が検討されている。
【特許文献１】特開２０００−９４７９０号公報
【特許文献２】特開平８−３０５１０１号公報
【特許文献３】特開平８−４４２７２号公報
【特許文献４】実願昭５３−１７５１３６号（実開昭５５−９２１４１号）のマイクロフィルム
【発明の開示】
【発明が解決しようとする課題】
【０００３】
上記のような取っ手付きの画像形成装置において、オペレータが装置のコーナー部に配置されている取っ手を用いて該画像形成装置持ち上げた場合、その本体フレームに様々な力が作用し、フレームに撓み変形が生じてしまうことがあった。このような撓み変形が生ずると位置精度が低下してまい、例えばカラー複写機等においては色ズレなどの発生原因となる場合があった。
【０００４】
本発明は、このような従来技術の課題を解決するためになされたもので、取っ手を用いて画像形成装置を持ち上げても、フレームの撓み変形による位置精度の低下が生じることがない画像形成装置を提供することを目的とする。
【課題を解決するための手段】
【０００５】
本発明にかかる画像形成装置は、内蔵する画像形成部が取付けられるフレームに設けた取付け部に、取っ手が複数取付けられた画像形成装置において、前記フレームは前後に設けられた側板と、それら両側板の間に配設されたステーとを有し、該ステーの近傍に前記取付け部が配設されていることを特徴とする。
【発明の効果】
【０００６】
このような画像形成装置によれば、取っ手の取付け部がステーの近傍に配設されるので、取っ手を持ち上げる際に、オペレータが取っ手を側板の内側へ押付けたり、外側へ引っ張ったりするような力が作用したとしても、ステーが側板の変形を防止するので、フレームに撓み変形が起こり難くすることが可能となる。
【発明を実施するための最良の形態】
【０００７】
以下に本発明の実施形態を具体的に説明する。
【０００８】
図１は本実施形態に係る画像形成装置の内部構造を示す正面図、図２は同じく内部構造を示す斜視図、図３は前左側の取っ手部分を示す斜視図、図４は前右側の取っ手部分を示す斜視図であり、これら図１〜図４は、共に取っ手が押し入れられている収納状態を表している。また、図５は本実施形態に係る画像形成装置の内部構造を示す正面図、図６は同じく内部構造を示す斜視図、図７は前左側の取っ手部分を示す斜視図、図８は前右側の取っ手部分を示す斜視図であり、これら図５〜図８は、共に取っ手が引き出されている状態を表している。
【０００９】
この画像形成装置は、タンデム型のカラー複写機であり、図２および図６に示すフレーム１と、その外側を覆う、例えば樹脂等からなる図示しない外装部とを有し、このフレーム１は、前側の側板２と、背面側の側板３と、両側板２および３の間に掛け渡して配設された多数のステー４ａ〜４ｆとを備える。図１に示すように、ステー４ａは右端部上側に、ステー４ｂは底部に、ステー４ｃは天井部に、ステー４ｄはステー４ｂと４ｃの間の中間高さ位置に、ステー４ｅは左端部上側に、ステー４ｆはステー４ｅの下側であってステー４ｄよりも高い位置にそれぞれ配設されている。また、図２および図６に示すように前側の側板２には開口６が設けられており、この開口６には、図１および図５に示すように、背面側の側板３との間において４色用の各画像形成部（図示せず）が取付けられる支持板７が、開口６を覆うように取付けられる。
【００１０】
前側の側板２は左右両端部に前側に折り返された折り返し部２ａ、２ｂを有し、左側の折り返し部２ａにおけるステー４ｄの近傍には取付け部１４が、右側の折り返し部２ｂにおけるステー４ｄの近傍には取付け部１６が設けられている。取付け部１４は、折り返し部２ａに設けられた取付け孔１１と、その右側であって側板２および折り返し部２ａに設けられ、取付け孔１１と所定間隔をあけて支持孔１３ａを有する支持部材１３とを有する。上記支持孔１３ａと取付け孔１１とは、ほぼ同じ高さ位置にかつほぼ同じ大きさで矩形状に形成され、取付け孔１１には上縁部に下側に突出してロック部１１ａが設けられている。この取付け部１４に取っ手３１がスライドさせることにより内外方向へ出し入れ可能に設けられている。
【００１１】
一方、取付け部１６は、上記取付け部１４とほぼ左右対称な構成となっている。具体的は、取付け部１６は、折り返し部２ｂに設けられた取付け孔１２と、その左側であって側板２および折り返し部２ｂに設けられ、取付け孔１２と所定間隔をあけて支持孔１５ａ（図４参照）を有する支持部材１５とを有する。上記支持孔１５ａと取付け孔１２とは、ほぼ同じ高さ位置にかつほぼ同じ大きさで矩形状に形成され、取付け孔１２には上縁部に下側に突出してロック部１２ａが設けられている。この取付け部１６に取っ手３２がスライドさせることにより内外方向へ出し入れ可能に設けられている。なお、支持部材１５は、前記支持部材１３と形状・大きさ等が異なっているが、取っ手をスライドさせる等の機能については同一に形成されている。
【００１２】
また、背面側の側板３も左右両端部に前側に折り返された折り返し部３ａ、３ｂを有し、左側の折り返し部３ａにおけるステー４ｄの近傍には取付け部２０（図１参照）が、右側の折り返し部３ｂにおけるステー４ｄの近傍には取付け部２２が設けられている。取付け部２０は、前記取付け部１４と前後対称（図３および図７と左右対称）な構成となっている。具体的には、取付け部２０は、折り返し部３ａに設けられた取付け孔１７と、その右側（図１および図５において）であって側板３および折り返し部３ａに設けられ、取付け孔１７と所定間隔をあけて支持孔１９ａを有する支持部材１９とを有する。上記支持孔１９ａと取付け孔１７とは、ほぼ同じ高さ位置にかつほぼ同じ大きさで矩形状に形成され、取付け孔１７には上縁部に下側に突出してロック部１７ａが設けられている。この取付け部２０に取っ手３３がスライドさせることにより内外方向へ出し入れ可能に設けられている。
【００１３】
一方、取付け部２２は、前記取付け部１６と前後対称（図４および図８と左右対称）の構成となっている。具体的には、取付け部２２は、折り返し部３ｂに設けられた取付け孔１８と、その左側（図１および図５において）であって側板３および折り返し部３ｂに設けられ、取付け孔１８と所定間隔をあけて支持孔２１ａを有する支持部材２１とを有する。上記支持孔２１ａと取付け孔１８とは、ほぼ同じ高さ位置にかつほぼ同じ大きさで矩形状に形成され、取付け孔１８には上縁部に下側に突出してロック部１８ａが設けられている。この取付け部２２に取っ手３４がスライドさせることにより内外方向へ出し入れ可能に設けられている。なお、ロック部１１ａ、１２ａ、１７ａ、１８ａの下端位置は、各取っ手３１、３２、３３、３４の上面と接触しない高さに設定しておき、取っ手３１等をスライドさせる際に、ロック部１１ａ等との接触に伴う摩擦抵抗の発生を抑制させるようにすることが好ましい。
【００１４】
図９は取っ手の構成を示す斜視図であり、（ａ）は外側に向けられる端部側から見た図で、（ｂ）はその反対側から見た図である。
【００１５】
前記４つの取っ手３１〜３４は、すべて同一構成であり、棒状把持部３１ａ〜３４ａと、その一端側に設けられた滑り止め部３１ｂ〜３４ｂとを有する。棒状把持部３１ａ〜３４ａは角部が角落としされた状態で角筒状に形成され、ほぼ中央の上面にはロック孔３５が貫通状態に設けられ、また他端側の左右側面には貫通孔３６ａ、３６ｂが設けられている。棒状把持部３１ａ〜３４ａは、矩形状に形成された前記支持孔１３ａ等と取付け孔１１等に対し、棒状把持部３１ａ等を持ち上げない状態では、上部に若干の隙間を有し、かつ、ロック部１１ａ等が非接触となるように寸法設定がなされている。なお、貫通孔３６ａ、３６ｂの少なくとも一方には、後述するストッパが取付けられる。
【００１６】
滑り止め部３１ｂ〜３４ｂは棒状把持部３１ａ〜３４ａの一端側の開口を覆うとともに下端が棒状把持部３１ａ〜３４ａの下面よりも下側に突出しており、左右の端部が棒状把持部３１ａ〜３４ａの他端側に向けて折り曲げられている。この滑り止め部３１ｂ等は、取っ手３１等を押し込んで収納した状態で各取付け孔１１等の周縁部に当接する。
【００１７】
次に、これら取っ手３１〜３４の作製内容を、図１０に基づき説明する。なお、これら取っ手３１〜３４の作製は、すべて同一であり、ここで一つの取っ手３１を例に挙げて述べる。
【００１８】
例えば鋼板を、図１０（取っ手の展開図）に示す所定の形状に切断する。つまり、棒状把持部３１ａを形成するための広面積部４０と、滑り止め部３１ｂを形成するための狭面積部４１と、これら両者間に設けた繋ぎ部４２とを有するように切断する。
【００１９】
その後、波線で示す折り曲げ線の箇所で、すべて山折りまたは谷折りで曲げる。ただし、曲げる際に角部が所定の曲率となるように曲げる。すると、図９に示す取っ手３１が作製される。なお、取っ手３１〜３４の素材としては、上述した鋼板に限らず、所望の強度が確保できる金属板を使用することが可能である。
【００２０】
上述した図３および図７は、その取っ手３１を取付け部１４に取付けた状態を示す斜視図であり、図３は取っ手３１を押し込んだ収納状態を表し、図７は取っ手３１を引き出した状態を表している。
【００２１】
上述のようにして作製された取っ手３１を、取付け部１４に対して挿入し、貫通孔３６ａ、３６ｂが支持部材１３を抜け出るようにする。そして、例えば貫通孔３６ａに抜け防止用のストッパ３７を取付けることで、取っ手３１は取付け部１４に抜け防止された状態になる。なお、他の取っ手３２〜３４についても、各取付け部１６、２０、２２に対して同様に取付けられる。
【００２２】
次に、このように構成された画像形成装置を運搬等すべく持ち上げる場合につき説明する。なお、通常は、取っ手３１〜３４は外側に飛び出さないように、つまり滑り止め部３１ｂ〜３４ｂが折り返し部２ａ、２ｂ、３ａ、３ｂに当接するように押し込まれて収納状態にされる。
【００２３】
まず、取っ手３１等を各取付け部１４等から、ストッパ３７が各取付け部１４等の支持孔１３ａ等の周縁に当たる最大引き出し状態にまで引き出す。このとき、滑り止め部３１ｂとロック孔３５との離隔距離Ｌ１と、収納状態におけるストッパ３７と支持部材１３との離隔距離Ｌ２とをほぼ同一寸法に調整しておくことが好ましい。このようにすると、ストッパ３７が支持部材１３に接触する最大引き出し状態にまで引き出したときに、各取っ手３１等に設けたロック孔３５の上方にロック部１２ａ等が位置するようにできる。
【００２４】
次に、運搬等を行う作業者は、引き出された取っ手３１等を把持する。このとき、取っ手３１等の下面が床面から４０ミリ以上で上側に位置するようにしておくことが好ましい。このようにすると、取っ手３１等と床面との間の隙間に容易に手の指が入るので、取っ手を掴み易くすることが可能となる。但し、あまり高い位置に取っ手３１等を設けると、重くなったように感じるため、比較的低い位置とするのがよい。
【００２５】
次に、把持した取っ手３１等を持ち上げる。すると、棒状把持部３１ａ等の上面と取付け孔１１等の上辺との間の隙間がなくなることにより、ロック部１２ａ等が、各取っ手３１等のロック孔３５に入り、取っ手３１等がスライドするのをロックされる。よって、取っ手３１等を持ち上げた状態では取っ手３１等が勝手にスライドせずに安定した取っ手把持状態を維持できる。
【００２６】
然る後、所望箇所に画像形成装置を運搬し終わり、取っ手３１等から手を離すと、容易にロック解除される。つまり、取っ手３１等が最大引き出し状態に引き出されても持ち上げない限りロック状態にはならないので、手を離すことで容易にロック解除される。その後、取っ手３１等を各取付け部１４等に押し込み、外側に飛び出さないように収納する。
【００２７】
したがって、本実施形態による場合には、各取っ手３１〜３４が金属板の曲げ加工により形成されているので、コストの低廉化が図れる。また、滑り止め部３１ｂ〜３４ｂも金属板の曲げ加工により一体的に形成されているので、曲げ加工工程において棒状把持部の形成と同時的に滑り止め部を作製でき、すなわち金属板として、前記棒状把持部を形成するための広面積部と、前記滑り止め部を形成するための狭面積部と、これら両者間に設けた繋ぎ部とを有するものを用いているので、棒状把持部の一端側において、その下端が棒状把持部下面よりも下側に突出するような滑り止め部を同時的に作製でき、作業性良く形成することが可能となり、実質的な軽量化を図り得る。また、各取っ手３１〜３４は、棒状把持部３１ａ〜３４ａが角落としされた状態で角筒状に形成されているので、持ち易くかつ強度的に強いものになる。
【００２８】
更に、本発明においては、図１および図１１においてこの実施形態でも示しているように、取付け部１４等がステー４ｄの近傍にほぼ同一高さ位置に配設されているので、取っ手３１〜３４を持ち上げる際に、オペレータが取っ手３１〜３４の滑り止め部側を矢印方向（Ｆ方向）に動くように作用させても、つまり取っ手３１〜３４の滑り止め部側とは反対側が側板２や３を内側へ押付けたり、外側へ引っ張るように作用させても、ステー４ｄが側板２と３の変形を防止するので、フレーム１に撓み変形が起こり難くすることが可能となる。よって、ステーを最低限必要な箇所に設ければよく実質的な軽量化を図り得る。但し、取付け部１４等のステー４ｄに対する配設位置に関しては、そのステー４ｄの直ぐ近くの位置が望ましいが、フレーム１に発生する撓み変形に伴う位置精度の低下、本実施形態のカラー複写機における色ズレなどを起こり難くすることが可能なように、例えばステー４ｄと支持部材１４等との離隔距離Ｌ３を７０ミリ〜８０ミリ以内とすればよい。本実施形態では、離隔距離Ｌ３は５０ミリとしている。なお、離隔距離Ｌ３が７０ミリ〜８０ミリ以内であれば、ステー４ｄと同一高さ位置にする必要はない。また、取付け部１４等は、ステー４ｄ以外の他のステー４ａ〜４ｆの近傍位置に同様にして設けてもよい。
【００２９】
なお、上述した実施形態では滑り止め部３１ｂ〜３４ｂを、棒状把持部３１ａ〜３４ａの一端側の開口を覆うように形成しているが、本発明はこれに限らず、棒状把持部３１ａ〜３４ａの一端側の下面から下側に折り曲げ、棒状把持部３１ａ〜３４ａの一端側の開口を覆うことなく、棒状把持部３１ａ〜３４ａの下面よりも下側に突出するようにしてもよい。
【００３０】
また、上述した実施形態ではロック部１２ａ等を取付け部１４等の最外端に位置する取付け孔１１等に設けるようにしているが、本発明はこれに限らず、取付け部１４等の外側寄りの位置であって、取付け孔１１等よりも内側に設ける構成としても実施できる。但し、この場合には、前記Ｌ１及びＬ２の関係を維持しつつロック孔の位置を別途設定し直すようにする。
【００３１】
また、上述した実施形態では棒状把持部３１ａ〜３４ａの断面形状を角筒状に形成しているが、本発明はこれに限らない。例えば、三角形や五角形等の多角形の筒状にしてもよく、或いは円筒状にしてもよい。但し、円筒状の場合には、取っ手が回転し易くロック部とロック孔との位置関係がずれるため、取っ手と取付け部とに、例えばキーとキー溝のような回転防止用の凹部と凸部を設けるようにすればよい。
【図面の簡単な説明】
【００３２】
【図１】本実施形態に係る画像形成装置の内部構造を示す正面図であり、取っ手が押し入れられている状態を表している。
【図２】本実施形態に係る画像形成装置の内部構造を示す斜視図であり、取っ手が押し入れられている状態を表している。
【図３】本実施形態に係る画像形成装置の前左側の取っ手部分を示す斜視図であり、取っ手が押し入れられている状態を表している。
【図４】本実施形態に係る画像形成装置の前右側の取っ手部分を示す斜視図であり、取っ手を押し込んだ状態を表している。
【図５】本実施形態に係る画像形成装置の内部構造を示す正面図であり、取っ手が引き出されている状態を表している。
【図６】本実施形態に係る画像形成装置の内部構造を示す斜視図であり、取っ手が引き出されている状態を表している。
【図７】本実施形態に係る画像形成装置の前左側の取っ手部分を示す斜視図であり、取っ手が引き出されている状態を表している。
【図８】本実施形態に係る画像形成装置の前右側の取っ手部分を示す斜視図であり、取っ手を引き出した状態を表している。
【図９】取っ手の構成を示す斜視図であり、（ａ）は外側に向けられる端部側から見た図で、（ｂ）はその反対側から見た図である。
【図１０】取っ手の展開図である。
【図１１】取っ手とステーとの位置関係を説明するための平面図である。
【符号の説明】
【００３３】
１  フレーム
２、３  側板
４ａ、４ｂ、４ｃ、４ｄ、４ｅ、４ｆ  ステー
１１、１２、１７、１８  取付け孔
１１ａ、１２ａ、１７ａ、１８ａ  ロック部
１４、１６、２０、２２  取付け部
３１、３２、３３、３４  取っ手
３１ａ、３２ａ、３３ａ、３４ａ  棒状把持部
３１ｂ、３２ｂ、３３ｂ、３４ｂ  滑り止め部
３５  ロック孔
【図１】
2006099142.tif 000003
【図２】
2006099142.tif 000004
【図３】
2006099142.tif 000005
【図４】
2006099142.tif 000006
【図５】
2006099142.tif 000007
【図６】
2006099142.tif 000008
【図７】
2006099142.tif 000009
【図８】
2006099142.tif 000010
【図９】
2006099142.tif 000011
【図１０】
2006099142.tif 000012
【図１１】
2006099142.tif 000013